(57)【要約】 【課題】従来、市場に流通しているＰＥＴ容器には、連結する機能が無いために、容器内の飲料水を飲んだ後はリサイクル処置がなされているが、その飲料後の容器の活用方法を探求する。【解決手段】第１容器１の外部底面２０の中心点に容器蓋４を連結する。その手段は第１容器注入口１７容器内部、底面方向に挿入蓋部材１６を差し込み、第１容器底部外部面２０に突出したワッシャ付きボートー１４の先端より容器パッキン１３、容器蓋４を挿入してワッシャ付きナット１５で容器蓋４を連結する。その容器蓋４に、第二容器注入口１７が回転締めにて第１容器１の底部外面２０の容器蓋４に第二容器２の注入口１７が連結される。【選択図】  図3
2008222305.tif 000002
【特許請求の範囲】
【請求項１】
容器、その容器底部外面に容器蓋を連結
前記容器底部外面、前記容器蓋の中心点を基準に各開口穴を備え、前記開口穴の形状は多角形を有し、前記貫通各開口穴に挿入する連結バンドを備え
前記連結バンド形状は、ヘッド部分は半球状を形成し、その半球状の底面は平面を形成し、その平面の下部の首部には首部多角形を備え、前記首部多角形の下部には係合溝を表裏面に有し、前記係合溝の下部から先端に掛けては係合溝を形成せず、その表裏面は平面を形成している連結バンド。
【請求項２】
容器、物体間連結機能部材
連結バンドに有する係合溝とクリップ係合爪との嵌合による連結
前記クリップの外枠形成した内部に係合爪が単一機能配置のクリップ体
前記クリップの外枠形成した内部に係合爪が二カ所配置のクリップ体、前記クリップ内部の係合爪は、２段階の位置に配置されたクリップ体
【請求項３】
容器、その容器底部外面の中心点に容器蓋を接合し
前記容器蓋の内面中心点に木螺子の先端をあてがい電動ドライバーにて回転締めを行うと容器蓋の外面に突出し、容器底部外面から容器内部の底部面に突出して容器底部外面に蓋が連結される。木螺子の先端は容器内部に突出する事になり、前記木螺子先端を保護する形状のプラグ緩衝材が必要とされる。緩衝、変形プラグ材
【請求項４】
容器、その容器注入口から容器内部に挿入可能な挿入蓋部材を備えるため
前記挿入蓋の内面より、ワッシャ付きボートーの先端を、挿入蓋の中心点開口穴に差し込み外面に突出したそのワッシャ付きボートーの先端から、挿入蓋上面方向に挿入パッキンを入れた、前記容器内部に挿入が可能な挿入蓋部材を形成する。
容器、その容器注入口から、前記挿入蓋部材を入れ、容器内部底面中心点開口穴に差し込む。前記挿入蓋部材が容器底部内面に接合すると、容器外部面にワッシャ付きボートーの先端が突出する。その突出ボートー先端より、容器パッキンを差し込み、その後、容器蓋を差し込むと、容器蓋が容器外部底面に接合する。前記容器蓋を、外面より差し込むと、容器蓋の外面から内面にワッシャ付きボートーが突出する、その突出したワッシャ付きボートーにワッシャ付きナットで回転締めを行い、容器底部に容器蓋が接合、密着、嵌合、合致する。前記挿入蓋部材、その挿入蓋部材は容器内部に位置し、外部容器蓋の中心点に存在するワッシャ付きボートーに対してワッシャ付きナットで回転締めを行い、容器底部に容器蓋を連結する。必ず容器内部に存在する、挿入蓋部材の挿入蓋内面ネジに緩衝蓋を螺子込み、ワッシャ付きボートー全体を包む、容器、物体連結のボートー基本連結
【発明の詳細な説明】
【技術分野】
【０００１】
本発明は容器連結に関するものである。
【背景技術】
【０００２】
従来、市場に流通しているＰＥＴ容器には、連結する機能を備えていないため、本発明者は特許第３７６９６３３号にて、発明を公開して公告を受けたが、製品化と市場認知には、多額の経費、時間、各飲料メーカー、ＰＥＴ製造企業間の一致した容器形状の規格統一が必要であるが、なにかと課題が多い、そこで、特許３７６９６３３号の製品の規格統一を世界で実現する間、現在市販されているＰＥＴ容器に連結機能を備えて活用するため、市場調査及び先行調査をしたが、従来の容器形状に連結機能を有する容器は存在していない。また従来容器を使用した連結方法の開発が未だになされていない現状がある。
【０００３】
従来のＰＥＴ容器とＰＥＴ容器を連結することにより、構築物、浮体、緩衝体などに使用することが認知されると、災害時、交通事故時の負傷の軽減、水難事故の軽減が図られるが、考案者がいくら、隣人、特許関係の方々に説明をしても、半信半疑であり、なかなか連結容器の素材特性、中空容器の優れた特性を理解して頂けないので、従来の容器を使用して、容器と容器の連結するための方法を確立する事とした。
【０００４】
容器底部外面に容器蓋を取り付けるには、従来の形状の結束バンド（ＰＥＴ容器の全長より３０mm以上長い結束バンドを使用する）を二本使用する事で可能となる。容器蓋、容器底部面の中心点に開口穴を備えることにより、結束バンドを各開口穴に挿入することが可能になる。例えば、容器底部外面に容器蓋の上面を接合した後、一本の結束バンドクリップの先端から、パッキン、次に容器蓋の内面開口穴に通し、容器底部面の開口穴に通したら結束バンドクリップの先端は容器本体内部を通過して注入口の外部に突出する、その先端より二本目の結束バンドのクリップ部を挿入し容器内部底面方向に押しつけると、クリップ部と係合溝との係合体により容器底部外面に容器蓋が連結されるが。ここに課題が発生する。
【０００５】
１  結束バンドクリップを頭部から先端に掛けて注意深く観察すると、頭部の正方形の側面より先端方向にバンドが伸びているため、頭部正方形の中心点に重心点が存在していないから、容器底部に容器蓋を連結した場合に容器蓋、容器バンドに掛かる荷重が不均等になり容器蓋の連結時の安定性が保持できない。
２  結束バンドでは頭部にクリップ機能を有しているが、容器連結に使用する場合は、頭部にクリップ機能は必要としない、また容器蓋の内面に開口穴に通した場合に、容器蓋と結束バンドとの接合する面積は小さいため、容器蓋素材面の強度が保持できない。
３  結束バンドには、容器蓋を固定するための機能すなわち、首部に多角形の形状を有していない為に容器蓋を連結した場合、容器蓋が回転して容器構築物の安定性が保持する事が容易でない。
４  結束バンドの係合溝は頭部から先端に掛けて設けられていている為、金型代金が高額になる。
【０００６】
容器底部外面に容器蓋を取り付けるには、容器蓋の内面から木螺子で、容器底部外面に取り付けることも可能であるが、この方法で各容器間を繋ぐと、外部張力、衝撃が容器に掛かれば、木螺子が容器底部から抜ける。抜けた容器の容器蓋より木螺子先端が現れ、危険である、故に木螺子を容器連結には使用することは出来ない。長短にかかわらず使用は禁ずる。容器外部より容器蓋を取り付けた場合、容器内部からの取り付け対称物が存在しない場合、強度の確実性が無くなるから、必ず容器内部からの部材が必要となる。
【０００７】
特開２００４−２４４０９２号に記載した、中空容器及び収容体に関しての課題が改めて浮上した、それは、容器と容器の連結が不十分な場合に、せっかくの容器本体の緩衝力が存在しても、容器の注入口が硬質であり、しかも先端部分が細くなっているため人体に危険を及ぼす事になる危険性がある、すなわち収容体に入れた場合でも細心の注意が必要である。特に、容器と容器のみで連結して使用する場合は、注入口に細心の注意を図り、これらの課題を解決して、安全で確実な連結方法を確立する必要がある。また中空容器を浮体構造物として製作する場合、外部衝撃、張力が加わった場合容器間が分離し、構造物が分解する可能性がある。
【０００８】
結束バンドとは、従来の結束バンドの形状を見て明らかな様に、結束バンドのヘッド部分にクリップ部存在している一本の結束バンドでは、容器を連結することは出来ない。すなわち結束バンドは物を集めて、束ねる為の目的使用であり。結束バンドのみで容器連結は不可能である。
【特許文献１】特許２００３―３７６９６３３号
【特許文献２】特開２００４−２４４０９２号
【発明の開示】
【発明が解決しようとする課題】
【０００９】
以上に述べた従来のＰＥＴ容器の形状には、容器連結するための機能を有していない。
【００１０】
本発明は、このような従来のＰＥＴ容器の外面底部に容器蓋を連結し、従来の容器に連結機能を備え、次々と容器を直列、並列、アーチ型に連結する事を目的とするものである。
【課題を解決するための手段】
【００１１】
本発明は上記目的を達成するために、第一容器、第二容器、第三容器いずれの容器の外部底面に容器蓋を確実に連結を行う。そのためには用途別部材が必要となる。
【００１２】
容器外部より使用する部材と開口穴を必要とする物（容器蓋、容器底部外面）
連結バンド使用の場合
容器蓋一個、連結バンド一個、パッキン一個
木螺子を使用する場合
容器蓋一個、木螺子一個、パッキン一個
スナップフイットを使用する場合（手段、形態は説明せず）
容器蓋一個、スナップフイット一個、パッキン一個
ボートーを使用する場合（容器と容器の連結をするための基本連結）
容器蓋一個と容器パッキン一個、ワッシャ付きナット一個〜二個、
必要に応じて。多角形アダプター、固定安定板を使うと容器並列固定、アーチ構築が可能となる。また、容器外部から使用する部材として考えられることは、容器外部底部と容器蓋とを接着剤を使用して連結する方法も存在する。
【００１３】
容器注入口より容器内部に挿入して使用する部材
連結バンド使用の場合
緩衝クリップ一個
木螺子を使用する場合
緩衝カール一個
スナップフイットを使用する場合
部材なし
ボートーを使用の場合
挿入蓋一個、挿入パッキン一個、ネジ付き栓一個
【００１４】
連結バンドによる容器底部外部面に容器蓋を連結する方法について説明する。
連結バンド形状は、ヘッド部は半球状を形成し、半球状の底面は平面形成し、その平面の下部の首部は、多角形を形成し、その首部の下部には表裏面に係合溝を形成した連結バンドを形成している。この連結バンドのヘッドには従来の結束バンドを備えたクリップ部は必要が無いため、ヘッドにはクリップ部は形成されていない。そのために連結バンドの係合溝に対する、クリップをパーツとして作る必要がある。まず、連結バンド、とクリップパーツが形成されれば、連結バンドによる容器底部外面に容器蓋が連結することが可能となる。（請求項１に対応）
【００１５】
連結バンドの係合溝に対するクリップ係合爪について説明する。
正方形、半球状の外枠、その内部に係合爪を一体形成したものがクリップである。
例えば、一体成形したクリップの係合爪機能が単独の場合、又は一体成形したクリップの内部に係合爪が二カ所に二段階に形成された二段階嵌合機能を有するクリップにより、容器連結をより確実にすることが可能になる。たとえば一段目の係合爪は外枠の右側より形成し、二段目の係合爪は左側より形成すること事により、連結バンドの表裏面係合溝を左右から係合爪にて係合する。一個のクリップの二段係合爪がボートー連結のダブルナットの役割を果たす。クリップ内部に係合爪が一個の場合は連結バンドに挿入するクリップは二個使用すればダブルロックが可能になる。クリップ内部に係合爪が二カ所で二段階嵌合の場合は、クリップは一個で良いことになる。（請求項２に対応）
【００１６】
容器底部外面に容器蓋を連結するため、木螺子を使用して取り付ける方法について説明する。容器底部外面の中心点に容器蓋を接合し、その容器蓋内面の中心点に木螺子先端をあてがい電動ドライバーにて回転締めを行うと、容器底部外面に容器蓋が連結されるが、より確実に連結強化をするためには、容器内部に突出した木螺子先端に容器注入口よりプラグカール（木螺子が挿入時変形）をあてがい再度、電動ドライバーにて回転締めを行えばより確実に容器底部外面に容器蓋が連結される。（請求項３に対応）
【００１７】
連結ボートーを使用した容器関連結について説明する。
これから、説明する挿入蓋部材については、容器の内部に挿入して容器内部で使用するために、これらの挿入部材は、容器注入口の口径より、小さい口径でなければ、容器内部に挿入することが出来ないので、容器注入口口径より小さな口径である。ワッシャ付きボートー、部材の形状、強度、素材、衛生性、などを考慮して調達し、容器蓋、挿入蓋、各パッキンの中心点に穴を開口する。
【００１８】
あらかじめ、挿入部材の注入蓋とワッシャ付きボートー、挿入パッキンを、容器外部で組み立てを行い、挿入蓋部材を形成する。（挿入蓋の中心点に開口している穴に、挿入蓋内面側からワッシャ付きボートーを差し込むと、先端は挿入蓋の外部に突出する、その突出した挿入ボートーの先端から挿入蓋の上面に対してパッキン小を挿入して防水効果を得る。）
【００１９】
完成すれば、組み合わされた挿入蓋部材を直ちに長い＋ドライバー、六角レンチ等にて第一容器注入口より、容器内部の底面中心点に備えた開口穴方向に、挿入して容器内部から底部外部にワッシャ付きボートーが突出する。（その突出部に容器パッキンを入れ、次に容器蓋の外面からを嵌め込むと、容器蓋のネジ内面が第二容器の注入口と嵌合する為の配置方向に向く事になる。ここで注意すべきは、必ずしも容器内部に挿入すべき部材は、挿入蓋部材に限定するものでない。ワッシャ付きナット（緩衝材保護付き）キャップ栓（内面ネジ付）これらの部材は容器外部より容器内部にワッシャ付きボートーを挿入する場合に使用する。
【００２０】
次に、第一容器外部底部に容器蓋を連結するためには、容器蓋の内面に突出した、ワッシャ付きボートーの先端からワッシャナットネジ回転締めを行い、第一容器外部の底部に容器蓋を連結する。（ここで連結作業は終了するが、この容器を災害時に飲料水を収容して使用するためには容器内部、外部全体を紫外線で殺菌した後に、注入口を容器蓋にて完全密閉で災害時に飲料水を入れることが可能になる。）容器素材を容器内部から挿入蓋、外部から容器蓋とで容器本体素材を挟む事で、容器底部の強化を図る事が可能となる、第一容器底部に容器蓋だ連結されたら、容器構築に必要な容器、全ての容器底部に容器蓋を連結することにより、各容器は順次連結することが可能になる。（請求項４に対応）
【００２１】
容器の底部に容器蓋を連結する方法について説明したが、次に多角形アダプターの取り付ける方法について説明する。従来の容器底部が凹にラインの場合そのラインに合致する多角形アダプターの表裏面に凸ラインを備え、容器蓋の上面には凹ラインを備えると各接合部材がずれなく連結が可能となる。多角形アダプターを接合した後に容器蓋を取り付けるがこの容器上面にもワッシャ付きネジで容器蓋を確実に連結する。また多角形が必要不可欠な場合は、容器蓋の外面に多角形を有することも可能である。（請求項なし）
【００２２】
容器外部底部と容器蓋とを接着剤にて連結する場合の課題について、またその手段について説明すると、従来のＰＥＴ容器の形状すなわち、容器外部底部の形状がまたまちの凹凸を形成している、このような容器外部底部に容器蓋の上部、すなわち容器上部表面の形状は平面の形状であるため、容器外部面に、容器蓋を接合すれば一目瞭然の如く容器外部底面と容器蓋との間に空間が生じる、この空間を埋めるために接着剤を使用した場合
相互の接合面が平面と相違して多量の接着剤が必要となる、容器連結の部材が高額になる、このような経費面を考慮することなく、より安全性を重視する場合は、接着材の性能、効果、強度がワッシャナット、ワッシャボートーを称した場合よりも強度を保てるのであれば接着剤を使用する方法も、考えられる。（請求項なし）
容器底部外面、容器蓋に開口穴を必要としないもの
接着剤と容器蓋一個
この場合は容器底部面容器蓋には開口する必要はない
【発明の効果】
【００２３】
上述したように本発明の容器連結は、各種部材を使用する方法により、従来市場で使用されているＰＥＴ容器が連結機能を有するが、付属部材を使用しなくても容器底部に容器蓋が成型時にインサート嵌合されるのが、本発明者にはベストであるが、市場での普及の進展が遅い場合は、この各種部材を使用することとする。
【００２４】
ＰＥＴ中空容器には、緩衝特性、浮体特性などがあり、その特性を活用した、交通事故時の防御体を構成する場合は、容器底部外面に容器蓋を連結バンドとクリップとによる連結固定を行う。容器間連結後、両面テープ、片面テープ、絶縁テープ等にて注入口部分、容器全体をテープ巻きを行うことにより、連結容器間の注入部分の緩衝機能を高める、また構築物にも緩衝機能効果を生み出すこととなり、連結部材での人体の損傷は軽減される。また水難事故を未然に防ぐ浮体構造物などを製作することが考えられる。これらの容器特性（ポリエチレテレフタレート、ケブラー素材）を活用する事が人類を救済することに繋がる。
【００２５】
第一容器、第二容器、第三容器の底部に容器蓋を連結することにより、順次、各容器間が連結することが可能になる。各容器に容器蓋が取り付けてられた事により、他の容器の注入口が回転締めにて連結することが可能になる、すなわちこれはなにを意味するかと言えば容器蓋を道路測道地面に震動ドリルでコンクリート地面に下地開口穴を開け、木螺子に適合したプラグカールをかちこみ、そこに容器蓋を木螺子を使用止回転ドライバーで回転締めを行い取り付ける、この取り付けには最善の注意を図ることが重要である。分離帯、家屋の柱、に取り付けることにより場所を選ばず容器蓋を取り付けることが可能になる。すなわち連結容器は場所を選ばず、容器蓋が確実に固定される場所では連結容器は立設可能である事の証明である。
【００２６】
連結バンドを使用した場合はポリエチレンテレフタレート素材と同一の素材で連結バンドを形成すればリサイクル時には分別の軽減を図ることが可能になる。
【発明を実施するための最良の形態】
【００２７】
以下、本発明の実施の形態を図１〜図９に基づいて説明する。
図８の第一容器１〜第三容器３は現在市販されている，ＰＥＴ容器である、しかしながらこれらの容器には連結する機能を有していないため、容器間連結をすることが不可能である、その容器に連結可能な機能を構築するために、図１の連結バンド使用、図２のクリップ部材使用、図４の木螺子使用、図５からの連結ボートー使用等について順次説明する。
【００２８】
図１は連結バンドの断面図５である。この連結バンド５の頭部には半球状のヘッド部６があり、そのヘッド部６の底面はヘッド平面７を形成し、そのヘッド部平面７の下部の首部は多角形８を形成し、その首部多角形８の下部に係合溝９を表裏面に備えた連結バンド５、従来の結束バンドとの相違点は、ヘッド部分６に係合爪１０機能を備えていない為に、係合爪１０機能部は別に製造する。容器底部外面２０に容器蓋４を連結するのに、連結バンド５を使用する、その手順について説明する。
実施例１
第１容器１、第２容器２、第３容器３の各容器蓋４、容器底部外面２０の多角形開口穴２６を高熱棒にて開口し、各容器底部に接合した容器蓋４の内面より連結バンド５の先端を容器本体の内部方向に挿入すると、容器注入口１７に突出する、その連結バンド５の先端より、クリップ部材１０を挿入した後に円筒パイプにてクリップ部材１０を容器底部面２０方向に押さえると、容器内部の連結バンド係合溝９にクリップ部材１０の係合爪２７，２８が嵌合され、容器底部面２０に容器蓋４が確実に連結される。容器間連結は第１容器１の底部に連結された容器蓋４に第２容器２注入口１７が回転締めで第１容器１と第２容器２が連結される次に第２容器２の容器底部外面２０に連結された容器蓋４に第３容器３の注入口１７が回転締めにて、第１容器１から第３容器３が連結される。連結バンド５の先端が注入口１７より突出している場合は折り曲げて容器内部に収容すると良い。また容器蓋４、容器底部面２０の多角形開口穴２６に挿入された連結バンド首部多角形８が挿入されると、各多角形が回転防止の役割を果たし容器蓋４の安定性を強化することとなる。
【００２９】
図２はクリップ（係合爪）１０の図である。  
正方形、半球状の外枠を形成したその内部に、係合爪１０を単一に形成したクリップが従来の結束バンドに使用されたものが基本形状であるから、図２では係合爪１０が２カ所配置した２段階契合爪について説明する。
正方形、半球状の外枠を形成したその内部に係合爪１０が二カ所すなわち、一段係合爪２７外枠左側よりを形成し、一段形成係合爪２７の位置より、ずらした位置すなわち二段係合爪２８を外枠右側より形成することにより、一個のクリップ１０の中央を通過する連結バンド５表裏面の係合溝９が左右の係合爪２７，２８二カ所（段差）と係合する。すなわち、一個の連結バンド５に対して一個のクリップが外枠内部に存在する係合爪２７，２８の係合により表裏面係合溝を左右からダブルロック機能を有する事になる。
実施例２
実施例１の連結バンド５を使用する連結方法で欠かせないのが、クリップ部材１０で、連結バンド５の係合溝９、クリップ１０の係合爪２７，２８がどちらがかけても、連結機能が皆無となり、如何にそれらの役割が重要であるかが明らかである。そのクリップをより確実にするために、係合爪２７，２８を２段階位置配置をしたのが、このクリップ部材１０の特徴である。
【００３０】
図３は第１容器１に対して第２容器２を連結バンド５とクリップ１０を使用して容器連結を行った図である。第１容器外部底面２０、容器蓋中心点４の中心点１８に多角形開口穴２６を高熱棒、電動ドリルにて開口する。容器を二個のみ連結する場合は第１容器１のみ容器外部面２０の中心点を基準に開口を行い、第２容器２な底部外面２０には開口は行わない。前記条件を基本に作業を進める。容器蓋４の多角形開口穴２２、容器内面側に連結バンド５のヘッド平面７が接合し、連結バンド首部多角形８が容器蓋４の多角形開口穴２６に合致する、連結バンド首部多角形８は、第１容器底部外面２０中心点の開口した多角形開口穴２６にも合致し、第１容器外部底部面２０から第１容器内部１、第１容器注入口１７に連結バンド５の先端が突出する、その先端よりクリップ１０を挿入し容器内部底面２０方向に円筒パイプでクリップ１０を押圧して第１容器底部外部面２０に容器蓋４を連結した物である。第１容器底部２０に連結した容器蓋４に第２容器注入口１７を回転連結するには第２容器２の蓋を第１容器１の注入口１７に使用するが、その第１容器１の注入口１７より突出している連結バンド５先端の収容方法は、第１容器１内部に折り曲げて収容する。そして第２容器２の注入口１７を、第１容器１底部の容器蓋４に回転締めをおこなうと第１容器１、第２容器とも中空容器が完成する。
【００３１】
図４は容器連結に木螺子２２を使用した図である。技術背景に記載した木螺子２２使用禁止にとしましたが。使用する用途を限定し、しかも細心の注意を行使して、容器連結行う最低条件を記載する。要するに、容器連結後に木螺子２２が抜ける事が二次災害に繋がる恐れを考慮したが、木螺子２２が抜けないための対策、すなわち木螺子２２にワッシャ２５を通し、容器蓋４中心点に木螺子２２先端をあてがい、容器外部側２０から容器内部に電動ドライバーで回転締めを行えば木螺子２２先端は容器内部に突出する。その木螺子２２先端保護部材はプラグカール２４を使用し図１の連結バンド５のヘッド形状６を形成し半球状６の中心には木螺子２２か回転食い込みながら嵌合可能なプラグカール２４を使用する。このように形成したプラグカール２４を容器注入口１７より容器内部に存在する木螺子２２先端にあてがい改めて電動ドライバーにて回転締めを行うと、容器底部外面２０に容器蓋４が連結される。
実施例
木螺子連結の場合は容器蓋４、容器底部外面２０には開口穴２６を必要とせず、容器注入口１７から容器内部の木螺子２２先端を保護するプラグカール２４より、木螺子２２先端の安全性を強化することが可能になる
【００３２】
図５容器内部に挿入する挿入蓋１２のその中心点に穴を開口２６し、挿入蓋１２の内面からワッシャ付きボートー１４を開口穴２６に差し込み、挿入蓋１２とボートー１４が組み合わされる、勿論この組み合わせは、容器の外部で行われる。次に第一容器１、第２容器２、第３容器３の底部中心点の穴開口２６について説明する。全ての容器底部外面２０に容器蓋４を連結するための容器本体の底部中心点に開口穴２６を備える事により、容易に各容器外部面２０に容器蓋４の連結が可能になる。
【００３３】
図５は各容器に挿入する挿入蓋部材１６の断面図である。
その組み立て手順は容器内部に挿入する挿入蓋部材１６、挿入蓋１２、挿入パッキン１３、ワッシャ付きボートー１４）を容器外部で組み立てる。挿入蓋１２の内部より外部に向けてワッシャ付きボートー１４を挿入蓋１２の開口穴の中心点に差し込み挿入蓋１２の内面に接合し、挿入蓋１２の外部上面に突出したボートー１４先端より挿入パッキン１３を嵌め込み、挿入蓋部材１１６が完成する。
【００３４】
図６は容器内部の底部開口穴２６に、挿入蓋部材１６を差し込んだ断面図である。
挿入蓋部材１６の外径は容器注入口１７の口径より小さい、故に容器内部に、挿入蓋部材１６が容易に入る。ワッシャ付きボートー１４は必ず容器内部から、差し込む事には限定しない、容器外部より差し込む場合も存在する。この場合は容器内部には図５で示すワッシャ付きネジ付きカール１６を使用することになる。
【００３５】
図７は容器注入口１７から容器内部底部面１９に挿入蓋部材１６を挿入し、容器外部に突出したワッシャ付きボートー１４の先端に容器パッキン１１を差し込む、次に容器底部外面２０まで容器蓋４を差し込んだ後、突出したワッシャ付きボートー１４先端にワッシャ付きナット１５で回転締めを行い、容器底部外面２０に容器蓋４を確実に連結した形態を示す断面図である。
【００３６】
図８は第一容器＋第二容器＋第三容器の連結断面図である。
その組み立て手順について説明する。各容器底部外面２０の容器蓋４は連結された状態である。容器内部に挿入蓋部材１６を容器内部底部の開口中心点１８に差し込むと、ワッシャ付きボートー１４は容器外部に突出する、その突出したボートー１４先端に容器パッキン１１を挿入し、次に容器蓋４の上面より差し込み、容器外部底面２０に接合すると、容器蓋４の内部にボートー１４の先端が突出する、そのボートー１４先端からワッシャ付きナット１５で回転締めを行い、容器蓋４を締め付けると容器蓋４は第一容器１の外部底部面２０に確実に連結することが可能になる。前記第一容器１の外部底部面２０に接合した容器蓋４に第二容器２の注入口１７が回転締めだ連結し、次に第二容器２の底部面２０に連結された容器蓋４が第三容器３の注入口１７に回転締め連結が行われて第一容器１〜第三容器３に連結されることになる。このように連結作業を進め、構築物を製作するために必要なＰＥＴ容器全ての容器外部底部面２０に容器蓋４を連結することにより、簡単に構築物を製作することが可能になる。
【００３７】
図９は容器内部に挿入するための部材であり、容器外部より容器内部にワッシャ付きボートーを差し込んだ場合に、容器内部内で使用するための挿入部材である。この形状を見ても判明するように、ワッシャ付きナット１５をプラスチック素材で囲み緩衝性を高めた形状である。
【図面の簡単な説明】
【００３８】
【図１】本発明の第１の実施形態に係る連結バンドの断面図である。
【図２】本発明の第１の実施形態に係るクリップ部材の断面図である。
【図３】本発明の第１の実施形態に係る連結バンドとクリップによる容器底部外面に容器蓋を連結した断面図である。
【図４】本発明の第２の実施形態に係る木螺子連結の断面図である。
【図５】本発明の第３の実施形態に係る挿入蓋部材の断面図である。
【図６】本発明の第３の実施形態に係る容器に挿入蓋部材を接合した断面図である。
【図７】本発明の第３の実施形態に係る容器外部底部面に容器蓋を連結した断面図である
【図８】本発明の第３の実施形態に係る第１容器〜第３容器の連結断面図である。
【図９】本発明の第３の実施形態に係る容器内部に挿入する部材断面図である。
【符号の説明】
【００３９】
１      第一容器
２      第二容器
３      第三容器
４      容器蓋
５      連結バンド
６      半球状ヘッド
７      ヘッド平面
８      首部（多角形）
９      係合溝
１０    クリップ（係合爪  単一  二段階）
１１    容器パッキン
１２    挿入蓋
１３    挿入パッキン
１４    ワッシャ付きボートー      ヘッド（＋  六角形状）
１５    ワッシャ付きナット
１６  挿入蓋部材、（球状ネジカール、ワッシャ付きナット、挿入ワッシャ付きナット）
１７  注入口
１８  開口中心点
１９  内部底部面
２０  外部底部面
２１  挿入容器栓
２２  木螺子
２３  ワッシャ
２４  半球状カール（変形、復元）
２５  ワッシャ
２６  開口穴（多角形）
２７  係合爪（一段爪）
２８  係合爪（二段爪）
【図１】
2008222305.tif 000003
【図２】
2008222305.tif 000004
【図３】
2008222305.tif 000005
【図４】
2008222305.tif 000006
【図５】
2008222305.tif 000007
【図６】
2008222305.tif 000008
【図７】
2008222305.tif 000009
【図８】
2008222305.tif 000010
【図９】
2008222305.tif 000011